(57)【要約】      （修正有）【課題】十分な信頼性と安定性をもって、空隙を充填することが可能な閉塞剤を提供する。【解決手段】空隙を閉塞するための施工が容易な閉塞剤が示されている。この閉塞剤は、遮水性のある流動体物質と、この流動体物質に導入された多数の金属塊とからなり、この金属塊は、鉛といった卑金属球体を、金属性のワイヤーによってチェーン状に連結してなる。【選択図】図２
2018003574.tif 000002
【特許請求の範囲】
【請求項１】
遮水性のある流動体物質と、この流動体物質に導入された多数の金属塊とからなり、前記金属塊は、チェーン状に連結されていることを特徴とする閉塞剤。
【請求項２】
前記流動体物質は重泥水であることを特徴とする請求項１に記載の閉塞剤。
【請求項３】
前記重泥水は、水、バライト（硫酸バリウム）およびベントナイトの混合物であることを特徴とする請求項１に記載の閉塞剤。
【請求項４】
前記金属塊は鉛の球体であることを特徴とする請求項１に記載の閉塞剤。
【請求項５】
前記金属塊は金属ワイヤーによってチェーン状に連結されていることを特徴とする請求項２に記載の閉塞剤。
【発明の詳細な説明】
【技術分野】
【０００１】  本発明は、空隙を閉塞する閉塞剤に関する。
【背景技術】
【０００２】  災害時などで、地層のひび割れや、構造物の隙間などを充填する閉塞剤が必要となることがある。特に、遮水性を有する閉塞剤は有用性が高い。
【先行技術文献】
【特許文献】
【０００３】
【特許文献１】特開２０１３−２５３０１５公報
【発明が解決しようとする課題】
【０００４】  このような閉塞剤としては、特許文献１に記載されているようなものがある。この閉塞剤は、コンクリートのひび割れを対象としており、更に大きな空隙を閉塞するには信頼性が劣る。
【０００５】  そこで、本発明の目的は、比較的大きな空隙にも応用可能な、信頼性の高い閉塞剤を提供することである。
【課題を解決するための手段】
【０００６】  上記課題を解決するために、本発明の閉塞剤は、遮水性のある流動体物質と、この流動体物質に導入された多数の金属塊とからなり、前記金属塊は、チェーン状に連結されていることを特徴とする。
【０００７】  一つの実施例では、前記流動体物質は重泥水であり、前記重泥水は、水、バライト（硫酸バリウム）およびベントナイトの混合物である。
【０００８】  また、前記金属塊は、例えば鉛の球体であり、これらの球体が多数、金属ワイヤーによってチェーン状に連結されている。
【発明の効果】
【０００９】  本発明に係わる閉塞剤によれば、災害時などでも楽に施工が行え、信頼性の高い遮蔽性能を得ることができる。
【図面の簡単な説明】
【００１０】
【図１】図１は、本発明の実施例に係る閉塞剤を構成する鉛球体のチェーンを示す図である。
【図２】図２は、本発明の実施例に係る閉塞剤を空隙へ充填する工程を説明する図である。
【図３】図３は、本発明の実施例に係る閉塞剤を空隙へ充填する工程が終了した状態を示す図である。
【図４】図４は、本発明の実施例に係る閉塞剤を構成する鉛球体の別の例を示す図である。
【図５】図５は、本発明の実施例に係る閉塞剤を構成する鉛の鎖を示す図である。
【発明を実施するための形態】
【００１１】  以下、添付図面を参照しながら本発明の実施形態による閉塞剤を説明する。この閉塞剤は、遮水性のある流動体物質と、この流動体物質に導入された多数の金属塊とからなる。この実施例では、流動体物質として、比重１．５以上、好ましくは２．０以上の重泥水を用いる。また、この実施例では、金属塊として鉛の球体を用いる。
【００１２】  重泥水の成分は、水、バライト（硫酸バリウム）およびベントナイトからなる。各重量比として、水１に対して、バライト１．３乃至２．０、ベントナイト０．３乃至０．８とする。具体的には、重量比として、水：バライト：ベントナイトを２：３：１とする。この場合、比重は略２．０となる。これらの成分を混合し撹拌することでスラリー状の重泥水とする。
【００１３】  この重泥水に導入する金属塊は、図１に示したように、中心に貫通孔１１ｔが設けられた多数の鉛球体１１と、これらの鉛球体１１の貫通孔１１ｔを貫通し、それらをチェーン状に互いに連結する金属性のワイヤー１５とからなる。ワイヤー１５には、隣接する鉛球体１１の間に結び目１１ｎが設けられており、鉛球体１１が一箇所に集まってしまうことを防いでいる。
【００１４】  鉛球体１１の直径は、１ｃｍから１０ｃｍ程度まで、この閉塞剤を利用する対象の大きさに応じて適宜選択される。ワイヤー１５の太さも、３ｍｍから１ｃｍ程度まで、鉛球体１１の大きさに応じて適宜選択される。ワイヤー１５の結び目１１ｎの間隔、すなわち鉛球体１１の間隔は、鉛球体１１の直径の２〜３倍程度が好ましい。
【００１５】  この閉塞剤を用いて空隙を閉塞するには、最初に重泥水２１で空隙３１を満たす（図２参照）。重泥水２１は粘性を有するため、空隙３１に亀裂３１ｇが生じていても、これを充填止水することができる。また、一定の流動性も有するため、地面のひび割れといった曲がりくねった空隙へ充填する場合でも、必要な空間の全体を満たすことができる。
【００１６】  次に、空隙３１を満した重泥水２１に、鉛球体１１のチェーンを上から順に導入する。鉛球体１１は比重が１１．３４と大きいため、空隙３１の底部からしっかりと積み重なっていく。図３は、本発明の実施例に係る閉塞剤を空隙へ充填する工程が終了した状態を示す図である。すなわち、空隙３１は、多数の鉛球体１１で満たされ、鉛球体１１間の隙間を重泥水が塞いでいる。なお、この閉塞剤を除去する場合は、鉛球体１１を取り出してから、重泥水を吸い出すようにする。鉛球体１１の取り出しは、ワイヤー１５を手繰り寄せながら、徐々に引き上げていくことで容易に行うことができる。
【００１７】  このように多数の鉛球体１１が充填された重泥水２１からなる閉塞剤は、空隙３１をしっかりと閉塞する。したがって、少々の亀裂があっても水漏れを防ぎ、周囲の空間を遮蔽する。また、鉛は放射線遮蔽材としても優れているので、放射線対策としての意味も大きい。
【００１８】  なお、上記実施例ではワイヤー１５を、鉛球体１１の中心を貫通する貫通孔１１ｔに通しているが、連結方法としてはこれに限らない。例えば、図４に示したように、貫通孔１１ｔの代わりにループ状突起１１ｒを設けて、ここにワイヤー１５を通しても良い。また、鉛球体１１の代わりに、図５に示したように、鉛の鎖１１ｃとしても良い。この場合、鎖１１ｃが鉛球体とワイヤーの双方の機能を果たす。更に、上記実施例では、金属塊として鉛を用いているが、他の卑金属、例えば鉄を用いても良い。
【産業上の利用可能性】
【００１９】  以上のように、本発明による閉塞剤によれば、十分な信頼性と安定性をもって、空隙を充填することが可能である。また、様々な災害時などでも、施工が容易に行えるという利点がある。
【符号の説明】
【００２０】  １１      鉛球体
１１ｃ    鎖
１１ｎ    結び目
１１ｒ    ループ状突起
１１ｔ    貫通孔
１５      ワイヤー
２１      重泥水
３１      空隙
３１ｇ    亀裂
【図１】
2018003574.tif 000003
【図２】
2018003574.tif 000004
【図３】
2018003574.tif 000005
【図４】
2018003574.tif 000006
【図５】
2018003574.tif 000007